(57)【要約】【課題】  ネットガイドの導出入時にネットガイドに作用する負荷を分散させ、ネットガイドが横方向に湾曲してガイドレールから外れたり、上方に湾曲して浮き上がったりするのを抑止する。【解決手段】  ネット８の両端を網戸枠６の縦枠部材２Ａと可動框１０Ａに取付ける。縦枠部材２Ａ及び可動框１０Ａの内部に出入りし、ネット８Ａの下端をガイドするネットガイド１２Ａを備える。ネットガイド１２Ａの中間部に縦枠部材２Ａ及び可動框１０Ａのいずれにも導入されない部分を設ける。ネットガイド１２Ａにおける該部分に、ガイドレール１４に係合してガイドされるガイド手段を設ける。【選択図】        図１
2005048477.tif 000002
【特許請求の範囲】
【請求項１】
交互に逆方向に折り返した伸縮自在のネットを横引きにより開閉自在とした網戸であって、該ネットの両端を網戸枠の固定の枠部材と可動の枠部材に、あるいはそれぞれ可動の枠部材に取付け、該ネットの両側の枠部材の下端からそれらの内部に屈曲して出入りし、張設状態にある該ネットの下端に沿って導出されて該ネットの下端をガイドする一連のネットガイドを備えた横引き網戸において、
該ネットガイドの中間部にいずれの枠部材にも導入されない部分を設け、ネットガイドにおける少なくとも該部分に、建物開口部の床面に敷設されるガイドレールに係合してガイドされるガイド手段を設けた、
ことを特徴とする横引き網戸。
【請求項２】
ネットガイドの両端が出入りする枠部材に、該ネットガイドの導入の限度を設定するストッパを設け、上記ストッパによりいずれの枠部材にも導入されないネットガイドの中間部に上記ガイド手段を設けた、
ことを特徴とする請求項１に記載の横引き網戸。
【請求項３】
ネットの両端を網戸枠の固定の枠部材と可動の枠部材に取付けた横引き網戸において、
ネットガイドの両端が出入りする枠部材に、該ネットガイドの導入の限度を設定するストッパを設け、網戸枠の固定の枠部材内に出入りするネットガイド及び上記ストッパによりいずれの枠部材にも導入されないネットガイドの中間部に上記ガイド手段を設けた、
ことを特徴とする請求項１に記載の横引き網戸。
【請求項４】
枠部材に対するネットガイドの導入の限度を設定するストッパを、ネットの両端が取付けられている枠部材の中のネットガイド端が当接する位置に設けた、
ことを特徴とする請求項２又は３のいずれかに記載の横引き網戸。
【請求項５】
枠部材に対するネットガイドの導入の限度を設定するストッパを、ネットの両端が取付けられている枠部材において、ネットガイドの中間部に設けた突部が当接するネットガイドの導入口縁に設けた、
ことを特徴とする請求項２又は３のいずれかに記載の横引き網戸。
【請求項６】
上記ガイド手段が、ネットガイドの裏面に設けた相対向する鉤形に形成したガイド用突条と、上記ガイドレールの両側に形成した上記ネットガイドのガイド用突条が係合する凹溝によって形成されている、
ことを特徴とする請求項１乃至５のいずれかに記載の横引き網戸。
【請求項７】
上記ネットガイドを、ネットの下端に沿う底部と該ネットの外面に沿って立ち上がる揺れ止め部とにより略Ｕ字状に形成した合成樹脂製のガイド駒の多数を可撓性のテープ状部材で連接することにより構成した、
ことを特徴とする請求項１乃至６のいずれか記載の横引き網戸。
【請求項８】
ネットガイドの中間部に位置していずれの枠部材にも導入されない中間部のガイド駒に、上記枠部材内に導入されるネットガイドのテープ状部材をねじ止めした、
ことを特徴とする請求項７に記載の横引き網戸。
【請求項９】
上記ネットガイドを、ネットの下端に沿う底部と該ネットの外面に沿って立ち上がる揺れ止め部とにより略Ｕ字状に形成した合成樹脂製のガイド駒の多数を、その揺れ止め部の上端において連結することにより構成した、
ことを特徴とする請求項１乃至６のいずれか記載の横引き網戸。
【請求項１０】
各ガイド駒の揺れ止め部の上端部に沿って孔を設け、各ガイド駒における上記孔にワイヤーを挿通することによりそれらを連結した、
ことを特徴とする請求項９に記載の横引き網戸。
【請求項１１】
上記ストッパによりいずれの枠部材にも導入されないネットガイドの中間部に、ネットの下部を保持する保持部材を付設した、
ことを特徴とする請求項１乃至１０のいずれかに記載の横引き網戸。
【請求項１２】
可動の枠部材を平行移動させるための平行移動機構を構成する張紐を、ネットの両端に取付けた枠部材間の該ネットに挿通して張り渡し、ネットの下部に挿通した張紐を上記保持部材に保持させることにより、該ネットの下部を上記保持部材で保持させた、
ことを特徴とする請求項１１に記載の横引き網戸。
【発明の詳細な説明】
【技術分野】
【０００１】
本発明は、横引き網戸に関するものであり、さらに具体的には、交互に逆方向に折り返した伸縮自在のネットを横引きにより開閉自在とした網戸において、該ネットの伸縮に応じて該ネットの両端に取り付けた枠部材の双方の内部に出入りし、張設状態にある該ネットの下端に沿って導出されてその端部を保持し、該ネットの揺れを抑止するネットガイドを備えた横引き網戸に関するものである。
【背景技術】
【０００２】
交互に逆方向に折り返した伸縮自在のネットを横引きにより開閉自在とした網戸において、上記ネットの開閉に応じて、該ネットの両端に取り付けた可動框の双方の下端からその内部に出入りし、張設状態にある該ネットの下端に沿って導出されてその下端をガイドし、該ネットの揺れを抑止するネットガイドを備えた横引き網戸は、例えば、特許文献１において開示されているように、既に提案されている。
上記従来の横引き網戸は、ネットの開閉の範囲が網戸枠の縦枠部材の高さによって制限されることが殆どなく、また、建物開口部内の右半、左半、中央、その他の任意位置にネットを移動して張設することができ、それらの場合に可動框の開閉操作に左右の対称性が付与されるため、操作性においても優れている点で有効なものである。
【０００３】
しかしながら、上記既提案の横引き網戸は、ネットガイドがガイドレールに沿って移動する可動框に出入りする構造のため、該ネットガイドが床面上のガイドレールから外れないようにするための手段を講じることが困難であり、したがって、ネットを比較的広い範囲にわたって張設した場合、すなわちネットガイドが比較的長く導出された状態において、強い力で可動框によるネットの開閉操作を行うと、ネットガイドに対して上記可動框への導入方向に大きな負荷が作用することになり、該ネットガイドが横方向に湾曲して上記ネットがネットガイドから外れてしまったり、あるいは、ネットガイドが通常とは逆に上方に湾曲して浮き上がってしまったりする場合が考えられる。
なお、上記ネットガイドを網戸枠の固定的な縦枠部材の下端から出入りさせる場合には、縦枠部材から導出したネットガイドをガイドレールに逐次係合させることができるので、上記のようなネットガイドの浮き上がり問題が生じることはない。
【０００４】
【特許文献１】特開２００３−８２９６０号公報
【発明の開示】
【発明が解決しようとする課題】
【０００５】
本発明の技術的課題は、ネットの両端を網戸枠の固定の枠部材と可動の枠部材に、あるいはそれぞれ可動の枠部材に取付け、該ネットの両側の枠部材の下端から導出されて該ネットの揺れを抑止するところのネットガイドを備えた横引き網戸において、ネットガイドが水平横方向に湾曲してガイドレールから外れてしまったり、あるいは、ネットガイドが通常とは逆に設置面から上方に湾曲して浮き上がってしまったりするのを可及的に抑止し、上記ネットの端部を常に安定的にガイドできるようにすることにある。
本発明の他の技術的課題は、上記ネットガイドをネットの両側の枠部材の内部に略均等に出入りするようにして、ネットガイドの導出入時に該ネットガイドに作用する負荷を分散させ、該ネットガイドの水平横方向への湾曲や逆方向への湾曲（設置面からの浮き上がり）をより確実に抑止することにある。
【課題を解決するための手段】
【０００６】
上記課題を解決するための本発明の横引き網戸は、交互に逆方向に折り返した伸縮自在のネットを横引きにより開閉自在とした網戸であって、該ネットの両端を網戸枠の固定の枠部材と可動の枠部材に、あるいはそれぞれ可動の枠部材に取付け、該ネットの両側の枠部材の下端からそれらの内部に屈曲して出入りし、張設状態にある該ネットの下端に沿って導出されて該ネットの下端をガイドする一連のネットガイドを備えた横引き網戸において、該ネットガイドの中間部にいずれの枠部材にも導入されない部分を設け、ネットガイドにおける少なくとも該部分に、建物開口部の床面に敷設されるガイドレールに係合してガイドされるガイド手段を設けたことを特徴とするものである。
【０００７】
上記横引き網戸の好ましい実施形態においては、ネットガイドの両端が出入りする枠部材に、該ネットガイドの導入の限度を設定するストッパを設け、上記ストッパによりいずれの枠部材にも導入されないネットガイドの中間部に上記ガイド手段を設けることができ、あるいは、ネットの両端を網戸枠の固定の枠部材と可動の枠部材に取付けた横引き網戸において、ネットガイドの両端が出入りする枠部材に、該ネットガイドの導入の限度を設定するストッパを設け、網戸枠の固定の枠部材内に出入りするネットガイド及び上記ストッパによりいずれの枠部材にも導入されないネットガイドの中間部に上記ガイド手段を設ることができる。
【０００８】
上記横引き網戸においては、枠部材に対するネットガイドの導入の限度を設定するストッパを、ネットの両端が取付けられている枠部材の中のネットガイド端が当接する位置に設け、あるいは、ネットの両端が取付けられている枠部材において、ネットガイドの中間部に設けた突部が当接するネットガイドの導入口縁に設けるのが適切であり、また、上記ガイド手段は、ネットガイドの裏面に設けた相対向する鉤形に形成したガイド用突条と、上記ガイドレールの両側に形成した上記ネットガイドのガイド用突条が係合する凹溝によって形成するのが有効である。
また、上記横引き網戸の好ましい実施形態においては、上記ネットガイドを、ネットの下端に沿う底部と該ネットの外面に沿って立ち上がる揺れ止め部とにより略Ｕ字状に形成した合成樹脂製のガイド駒の多数を可撓性のテープ状部材で連接することにより構成することができ、さらに、ネットガイドの中間部に位置していずれの枠部材にも導入されない中間部のガイド駒に、上記枠部材内に導入されるネットガイドのテープ状部材をねじ止めした構成とすることができる。
上記横引き網戸の他の好ましい実施形態においては、上記ネットガイドを、ネットの下端に沿う底部と該ネットの外面に沿って立ち上がる揺れ止め部とにより略Ｕ字状に形成した合成樹脂製のガイド駒の多数を、その揺れ止め部の上端において連結することにより構成することができ、この場合、各ガイド駒の揺れ止め部の上端部に沿って孔を設け、各ガイド駒における上記孔にワイヤーを挿通することによりそれらを連結することができる。
上記ストッパによりいずれの枠部材にも導入されないネットガイドの中間部には、ネットの下部を保持する保持部材を付設することができ、この場合、可動の枠部材を平行移動させるための平行移動機構を構成する張紐を、ネットの両端に取付けた枠部材間の該ネットに挿通して張り渡し、ネットの下部に挿通した張紐を上記保持部材に保持させることにより、該ネットの下部を上記保持部材で保持させるのが適切である。
【発明の効果】
【０００９】
上記構成を有する横引き網戸は、上記ネットガイドの中間部にいずれの枠部材にも導入されない部分を設け、ネットガイドにおける少なくとも該部分に、建物開口部の床面に敷設されるガイドレールに係合してガイドされるガイド手段を設けているので、ネットガイドが水平横方向に湾曲してガイドレールから外れてしまったり、あるいは、ネットガイドが通常とは逆に設置面から上方に湾曲して浮き上がってしまったりするのを可及的に抑止し、上記ネットの端部を常に安定的にガイドすることができる。
また、ネットガイドの両端が出入りする枠部材に、該ネットガイドの導入の限度を設定するストッパを設け、上記ストッパによりいずれの枠部材にも導入されないネットガイドの中間部に上記ガイド手段を設けるか、あるいは、ネットの両端を網戸枠の固定の枠部材と可動の枠部材に取付けた横引き網戸において、ネットガイドの両端が出入りする枠部材に、該ネットガイドの導入の限度を設定するストッパを設け、網戸枠の固定の枠部材内に出入りするネットガイド及び上記ストッパによりいずれの枠部材にも導入されないネットガイドの中間部に上記ガイド手段を設けることにより、該ネットガイドを上記ネットの両側の枠部材の内部にそれぞれ設定量だけ出入りするように構成すれば、ネットガイドの導出入時に該ネットガイドに作用する負荷を分散させ、該ネットガイドの水平横方向への湾曲や逆方向への湾曲（設置面からの浮き上がり）をより確実に抑止することができると共に、上記ネットガイドを適正な位置により安定的に保持することができる。
【００１０】
また、上記ネットガイドを、多数のガイド駒を可撓性のテープ状部材で連接することにより構成すれば、上記ネットガイド及びそれを備えた横引き網戸を可及的に安価に且つ容易に製造することができる。
さらに、ネットガイドの中間部に位置していずれの枠部材にも導入されない中間部のガイド駒に、上記枠部材内に導入されるネットガイドのテープ状部材をねじ止めした構成とすれば、例えば、ネットガイドを構成するガイド駒が欠損したり欠落した場合に、上記ねじを外すことによりその部分を容易に交換することができ、したがって横引き網戸のメンテナンスを容易に且つ安価に行うことができる。
また、上記ストッパによりいずれの枠部材にも導入されないネットガイドの中間部に、ネットの下部を直接的に保持する保持部材を付設することにより、ネットに風等の比較的強い外力が作用しても、該ネットの下端が上記ネットガイドから脱離するのを抑止することができ、この場合、可動の枠部材を平行移動させるための平行移動機構を構成する張紐を、固定の枠部材と移動の枠部材の間にネットに挿通して張り渡し、ネットの下部に挿通した張紐を上記保持部材に保持させることによりネットの下部を上記保持部材で保持させれば、該ネットの下端を上記ネットガイドにより安定的にガイドさせることができ、延いては上記ネットのより安定的な開閉操作が可能になる。
【発明を実施するための最良の形態】
【００１１】
図１乃至図３は、本発明を適用する横引き網戸の第１の基本構造例、図４は同第２の基本構造例を示している。
この横引き網戸は、防虫、遮光、断熱のためのネットをシート状材料の折り畳みによりアコーディオン式に伸縮するように構成し、そのネットを横引きにより左右両開き式に開閉するもので、図１に示すように、概略的には、左右の縦枠部材２Ａ，２Ｂと上部の上枠部材４を相互に連結することにより形成した網戸枠６と、上記縦枠部材２Ａ，２Ｂにそれぞれ横引きにより開閉自在に取り付けた防虫ネット８Ａ，８Ｂと、該ネット８Ａ，８Ｂの一端にそれぞれ取り付けられた開閉操作用の可動框１０Ａ，１０Ｂとを備えている。
なお、この防虫網戸は実質的に左右対称の構造であるから、以下の説明においては、主に図１において左側のネット８Ａ及び可動框１０Ａに関連する構造について説明することとし、特に必要がなければ、右側のネット８Ｂ及び可動框１０Ｂに関連する説明については、補助符号「Ａ」を「Ｂ」に読み替えることとして、それらの説明を省略する。
【００１２】
上記網戸枠６は、左右の縦枠部材２Ａ，２Ｂと上部の上枠部材４とを有し、該網戸枠６の下部には、上記縦枠部材２Ａ，２Ｂ及び可動框１０Ａ，１０Ｂの双方の下端からその内部に屈曲して出入りし、張設状態にあるネット８Ａ，８Ｂの下端に沿って導出されて該ネットの下端をガイドする非固定的なネットガイド１２Ａ，１２Ｂを備えている。そして、上記縦枠部材２Ａ及び可動框１０Ａ内には、ネットガイド１２Ａの導入の限度を設定するためのストッパ１３をそれぞれ設けている。
また、建物開口部の床面には、上記ネットガイド１２Ａ、１２Ｂの移動をガイドするところのガイドレール１４が敷設されている。該ガイドレール１４は、図１及び図２に示すように、建物開口部の床面上に歩行の障害にならない敷居の高さ程度のものとして構成するのが望ましい。
なお、図中１５は、上記上枠部材４にネット８Ａ（８Ｂ）の開閉方向に移動自在に設けられた、後述する張紐２４ａ（２４ｂ）の上部を支持する支持部材である。
【００１３】
上記ネットガイド１２Ａは、図５乃至図９に明確に示すように、それぞれ同一形状の多数のガイド駒１６，１７を、中間部のガイド駒２０の両側に可撓性のテープ状部材１８で連接することにより構成している。上記ガイド駒１６（図７）は、網戸枠６における縦枠部材２Ａ内に出入りするネットガイド１２Ａ′を構成するものであり、上記ガイド駒１７（図８）は、可動框１０Ａ内に出入りするネットガイド１２Ａ″を構成するものである。各ガイド駒１６，１７は、ネット８Ａの下端に沿う底部１６ａ，１７ａと該ネット８Ａの両外面に沿って立ち上がる揺れ止め部１６ｂ，１７ｂとにより略Ｕ字状に形成し、上記底部１６ａ，１７ａの直上の両揺れ止め部１６ｂ，１７ｂの内側に、弾性的に屈曲変形可能な合成樹脂製のテープ状部材１８の側端を嵌入させる溝１６ｃ，１７ｃを設けて、多数のガイド駒１６，１７における各溝１６ｃ，１７ｃに上記テープ状部材１８の側端を挿嵌することにより、それらのガイド駒１６，１７をそれぞれ連結し、該テープ状部材１８の端部をネットガイド１２Ａの中間部のガイド駒２０、すなわち上記網戸枠６における縦枠部材２Ａ内に出入りするネットガイド１２Ａ′と可動框１０Ａ内に出入りするネットガイド１２Ａ″との間に設けられて、上記ストッパ１３により縦枠部材２Ａ及び可動框１０Ａのいずれにも導入されないガイド駒２０に、ねじ１９によりねじ止め固定している。また、該テープ状部材１８の他端は、ネットガイド１２Ａ′，１２Ａ″の各先端に設けた端部駒２２に連結している。上記中間ｂのガイド駒２０も、基本的にはガイド駒１６，１７と同様に、底部２０ａと揺れ止め部２０ｂによって略Ｕ字状に形成したものである。
【００１４】
上記テープ状部材１８で連結された多数のガイド駒１６，１７により構成されるネットガイド１２Ａ′，１２Ａ″は、縦枠部材２Ａまたは可動框１０Ａ内に導入するため、図５に示すように屈曲させる必要があり、そのため、上記揺れ止め部１６ｂ，１７ｂには、図５及び図６から明らかなように、隣接ガイド駒の揺れ止め部１６ｂ，１７ｂの端部の重なりを受入れる薄肉部１６ｄ，１７ｄを形成し、また該薄肉部１６ｄ，１７ｄに重なる部分にも薄肉部１６ｅ，１７ｅを形成している。このような薄肉部により隣接ガイド駒の揺れ止め部１６ｂ，１７ｄを部分的に重なるか相互に接する状態に保つことは、虫の侵入を可及的になくすために有効でもある。
【００１５】
さらに、上記ネットガイド１２Ａは、図５，図７及び図９に示すように、上記縦枠部材２Ａ内に出入りするネットガイド１２Ａ′及び中央のガイド駒２０の裏面に、相対向する鉤形に形成したガイド用突条１６ｆ，２０ｆを形成するとともに、上記ガイドレール１４の両側に上記ガイド用突条１６ｆ，２０ｆが係合する凹溝１４ｃを形成している。一方、可動框１０Ａに出入りするネットガイド１２Ａ″を構成するガイド駒１７には、図８に示すように、上記ガイド駒１６におけるガイド用突条１６ｆに相当するものを備えていない。このガイド駒１７に上記ガイド用突条を設けても、上記凹溝１４に対して係脱する位置が常に変動するため、結果的にガイドレールに係合させることができないからである。
そして、上述したネットガイド１２Ａ′及び中央のガイド駒２０に設けた両ガイド用突条１６ｆ，２０ｆをガイドレール１４の凹溝１４ｃに嵌め込むことにより、上記縦枠部材２Ａに出入りするネットガイド１２Ａ′のガイドレール１４に対する適正な摺動を可能にするばかりでなく、上記可動框１０Ａ内に出入りするネットガイド１２Ａ″も含めたネットガイド１２Ａ全体のガイドレール１４に対する適正な摺動、即ち上記ネット８Ａの該ガイドレール１４に沿う適正な開閉を可能としている。
【００１６】
上記ネットガイド１２Ａの中間部のガイド駒２０には、後述する平行移動機構を構成する張紐２４ｅ（２４ｃ）を保持する保持部材２１を付設している。すなわち、該保持部材２１は、図９からわかるように、上下方向に長い長穴２１ａの側部にスリット２１ｂを設けることにより、該長穴２１ａ内に上記張紐２４ｅを保持することができるようにしたもので、該張紐２４ｅをネットに挿通することにより、ネット８Ａ（８Ｂ）に風等の比較的強い外力が作用しても、上記張紐２４ｅを挿通したネット８Ａ（８Ｂ）の下端が上記ネットガイド１２Ａ（１２Ｂ）から脱離するのを抑できるように止している。
また、上記ネットガイド１２Ａの両端部には、網戸枠の縦枠部材２Ａ又は可動框１０Ａの下端からのネットガイド１２Ａの脱出を抑止するため、該ネットガイド１２Ａを構成する他のガイド駒１６よりネットガイドの導出入方向の長さを長く形成した前記端部駒２２をそれぞれ連接している（図１乃至図３参照）。
【００１７】
上記縦枠部材２Ａ及び可動框１０Ａ内に設けたストッパ１３は、上記ネットガイド１２Ａ′，１２Ａ″が該縦枠部材２Ａ及び可動框１０Ａ中に導入される限度を設定するためのもので、図２に示すネット８Ａの全開放（収納）状態において、縦枠部材２Ａ及び可動框１０Ａ内に導入されるネットガイド１２Ａ′，１２Ａ″の先端の端部駒２２が達する位置にそれぞれ設けられている。
【００１８】
上記ネット８Ａは、多数のプリーツをジクザグ状に施すことによりアコーディオン式に伸縮自在としたもので、その両端を縦枠部材２Ａ及び開閉操作用の可動框１０Ａに取り付け、該可動框１０Ａにより、上記網戸枠６における上枠部材４及びガイドレール１４に沿って摺動する上記ネットガイド１２Ａにガイドされて開閉するようにしている。
そして、上記ネット８Ａ，８Ｂの一端に取り付けた可動框１０Ａ，１０Ｂを安定的に平行移動させるための平行移動機構として、網戸枠６及び可動框１０Ａ，１０Ｂの間には５本の張紐２４ａ〜２４ｅを張設している。
【００１９】
第１の張紐２４ａは、先ずネットガイド１２Ａにおける上記網戸枠６の縦枠部材２Ａ内を出入りするネットガイド１２Ａ′の端部に連接した端部駒２２にその一方の端部を固定し、該張紐２４ａを縦枠部材２Ａの下部に設けた転向子２６ａに巻き掛けて該縦枠部材２Ａ内を上方に導き、それを縦枠部材２Ａの上部からネット８Ａ側に導出してネット８Ａを貫通させ、上記支持部材１５に該張紐２４ａを支持させたうえで上記可動框１０Ａの上部に導き、そこから該可動框１０Ａ内を下方に導いて該可動框１０Ａの下部に設けた転向子２６ｂに巻き掛けた後、上記ネットガイド１２Ａにおける可動框１０Ａ内を出入りするネットガイド１２Ａ″の端部に連接した端部駒２２に他方の端部を固定している。
第２の張紐２４ｂは、先ずネットガイド１２Ｂにおける上記網戸枠６の縦枠部材２Ｂ内を出入りするネットガイド１２Ｂ′の端部に連接した端部駒２２にその一方の端部を固定し、該張紐２４ｂを縦枠部材２Ｂの下部に設けた転向子２６ｃに巻き掛けて該縦枠部材２Ｂ内を上方に導き、それを縦枠部材２Ｂの上部からネット８Ｂ側に導出してネット８Ｂを貫通させ、上記支持部材１５に該張紐２４ｂを支持させたうえで上記可動框１０Ｂの上部に導き、そこから該可動框１０Ｂ内を下方に導いて該可動框１０Ｂの下部に設けた転向子２６ｄに巻き掛けた後、上記ネットガイド１２Ｂにおける可動框１０Ｂ内を出入りするネットガイド１２Ｂ″の端部に連接した端部駒２２に他方の端部を固定している。
【００２０】
第３の張紐２４ｃは、その一方の端部を上記縦枠部材２Ａの上部に固定したうえでネット８Ａを貫通させて可動框１０Ａ内に導き、そこから可動框１０Ａ内を上方に導き該可動框１０Ａの上端から導出した後に、上枠部材４に沿って他方の可動框１０Ｂ内に導入し、それを可動框１０Ｂの下部まで導いたうえでネット８Ｂを貫通させるとともに、該張紐２４ｃを保持部材２１に保持させて上記縦枠部材２Ｂ内に導入し、他方の端部を該縦枠部材２Ｂの下部に固定している。
第４の張紐２４ｄは、その一方の端部を上記縦枠部材２Ａの中間部に固定したうえでネット８Ａを貫通させて可動框１０Ａ内に導き、そこから可動框１０Ａ内を上方に導き該可動框１０Ａの上端から導出した後に、上枠部材４に沿って他方の可動框１０Ｂ内に導入し、それを可動框１０Ｂの中間部に導いたうえでネット８Ｂを貫通させて上記縦枠部材２Ｂ内に導入し、その端部を該縦枠部材２Ｂの中間部に固定している。
第５の張紐２４ｅは、その一方の端部を上記縦枠部材２Ａの下部に固定したうえでネット８Ａを貫通させるとともに、該張紐２４ｅを保持部材２１に保持させて可動框１０Ａ内に導き、そこから可動框１０Ａ内を上方まで導き該可動框１０Ａの上端から導出した後に、上枠部材４に沿って他方の可動框１０Ｂ内に導入し、それを可動框１０Ｂの上部に導いたうえでネット８Ｂを貫通させて上記縦枠部材２Ｂ内に導入し、その端部を該縦枠部材２Ｂの上部に固定している。
【００２１】
上述した張紐２４ａ〜２４ｅがネット８Ａ，８Ｂの張設部分において水平方向に張設されている部分においては、それらの張紐２４ａ〜２４ｅをネット８Ａ，８Ｂ内に挿通することによって該ネット８Ａ，８Ｂの弛みを防止し、ネットの張設状態を安定化させることができる。また、上記各転向子２６ａ〜２６ｄとしては、張紐２４ａ〜２４ｅとの抵抗が小さい合成樹脂製の摺動部材、あるいは適宜材料からなるプーリーなどを用いることができる。
なお、上記各張紐２４ａ〜２４ｅには、それぞれいくつかの転向部分があるが、それらの部分に適宜転向子を配設するのは勿論である。
【００２２】
上記構成を有する横引き網戸は、上記縦枠部材２Ａ及び可動框１０Ａに、それらの中にネットガイド１２Ａ′，１２Ａ″が導入される限度を設定するストッパ１３をそれぞれ設け、該ネットガイド１２Ａ′，１２Ａ″を上記ネット８Ａの両側に取付けた縦枠部材２Ａ及び可動框１０Ａの内部にそれぞれ設定量だけ出入りするようにしているので、ネットガイド１２Ａ′，１２Ａ″の導出入時に該ネットガイドに作用する負荷を分散させることができる。
そのうえ、上記縦枠部材２Ａ内に出入りする側のネットガイド１２Ａ′及び上記ストッパ１３により縦枠部材２Ａ及び可動框１０Ａのいずれにも導入されない中間部のガイド駒２０の裏面に、相対向する鉤形に形成したガイド用突条１２ｃを形成するとともに、上記ガイドレール１４の両側に上記ネットガイド１２Ａ′のガイド用突条１２ｃが係合する凹溝１４ｃを形成しており、両ガイド用突条１２ｃをガイドレール１４の凹溝１４ｃに嵌め込むことにより、上記縦枠部材２Ａに出入りするネットガイド１２Ａ′のガイドレール１４に対する適正な摺動を可能にするばかりでなく、上記可動框１０Ａ内に出入りする側のネットガイド１２Ａ″も含めたネットガイド１２Ａ全体のガイドレール１４に対する適正な摺動、即ち上記ネット８Ａの該ガイドレール１４に沿う適正な開閉操作を行うことができる。しかも、上記のように構成することによりネットガイド１２Ａの導出入時に該ネットガイドに作用する負荷を分散させることができるので、ネットガイド１２Ａが比較的長く導出された図３に示す状態において、強い力で可動框１０Ａによるネット８Ａの開閉操作を行っても、該ネットガイド１２Ａが横方向に湾曲して上記ガイドレール１４から外れてしまったり、あるいは、ネットガイド１２Ａが通常とは逆に上方に湾曲して浮き上がってしまったりするのを可及的に抑止することができると共に、上記ネットガイド１２Ａを適正な位置により安定的に保持することができる。
【００２３】
また、上記ネットガイド１２Ａの中間部のガイド駒２０に、上記ネット８Ａの下部を保持する保持部材２１を付設しているので、ネット８Ａに風等の比較的強い外力が作用しても、該ネット８Ａの下端が上記ネットガイド１２Ａから脱離するのを抑止することができる。
さらに、上記ネットガイド１２Ａの中間部、すなわち上記網戸枠６における縦枠部材２Ａ内に出入りするネットガイド１２Ａ′と可動框１０Ａ内に出入りするネットガイド１２Ａ″との間に設けたガイド駒２０に、上記テープ状部材１８をねじ１９でねじ止めすることにより固定しているので、仮にネットガイド１２Ａを構成するガイド駒１６の欠損や欠落等の故障が生じた場合に、上記ねじ１９を外すことにより当該ガイド駒１６のみを容易に交換することができ、したがって横引き網戸のメンテナンスを容易に且つ安価に行うことができる。
【００２４】
図４は本発明を適用する横引き網戸の第２の基本構造例を示している。
なお、この第２実施例の横引き網戸におけるネットガイドに関連する基本的な構造は、実質的に前記第１実施例におけるネットガイド１２Ａに関連する構造と同様であるから、同一部分または相当部分に同一符号を付するものとし、特に必要がなければそれらの説明を省略する。
【００２５】
この横引き網戸は、図４に示すように、概略的には、左右の縦枠部材３２Ａ，３２Ｂと上部の上枠部材３４を相互に連結することにより形成した網戸枠３６と、上記網戸枠３６内において横引きにより開閉自在の防虫ネット８Ａと、該ネット８Ａの両端にそれぞれ取り付けられた一対の開閉操作用の可動框４０Ａ，４０Ｂとを備えている。
なお、この防虫網戸は実質的に左右対称の構造であるから、以下の説明においては、主に図４において左側の可動框４０Ａに関連する構造について説明することとし、特に必要がなければ、右側の可動框４０Ｂに関連する説明については、補助符号「Ａ」を「Ｂ」に読み替えることとして、それらの説明を省略する。
【００２６】
上記網戸枠３６は、左右の縦枠部材３２Ａ，３２Ｂと上部の上枠部材３４とを有し、該網戸枠３６の下部には、上記可動框４０Ａ，４０Ｂの双方の下端からその内部に屈曲して出入りし、張設状態にあるネット８Ａの下端に沿って導出されて該ネットの下端をガイドする非固定的なネットガイド４２Ａを備えている。そして、上記可動框４０Ａ，４０Ｂ内には、ネットガイド４２Ａの導入の限度を設定するためのストッパ４３をそれぞれ設けている。
また、建物開口部の床面には、上記ネットガイド４２Ａの移動をガイドするところのガイドレール１４が敷設されている。
なお、図中１５は、上記上枠部材３４にネット８Ａの開閉方向に移動自在に設けられた、後述する張紐５４ａの上部を支持する支持部材である。
【００２７】
上記ネットガイド４２Ａは、図１０乃至図１３に明確に示すように、それぞれ多数のガイド駒４６，４７を、中間部のガイド駒２０の両側に可撓性のテープ状部材１８で連接することにより構成している。上記ガイド駒４６及び４７（図１２）は、同一の形状を有し、それぞれ可動框４０Ａ及び４０Ｂ内に出入りするネットガイド４２Ａ′及び４２Ａ″を構成するものである。
【００２８】
さらに、上記ネットガイド４２Ａは、図１０及び図１３に示すように、中央のガイド駒２０の裏面に、相対向する鉤形に形成したガイド用突条２０ｆを形成するとともに、上記ガイドレール１４の両側に上記ガイド用突条２０ｆが係合する凹溝１４ｃを形成している。一方、可動框４０Ａに出入りするネットガイド４２Ａ′を構成するガイド駒４６及び可動框４０Ｂに出入りするネットガイド４２Ａ″を構成するガイド駒４７には、図１２に示すように、上記ガイド駒２０におけるガイド用突条２０ｆに相当するものを備えていない。これらのガイド駒４６，４７に上記ガイド用突条を設けても、ガイドレールに係合させることができないからである。
そして、上述した中央のガイド駒２０（いずれの可動框４０Ａ，４０Ｂにも導入されない。）に設けたガイド用突条２０ｆをガイドレール１４の凹溝１４ｃに嵌め込むことにより、上記可動框４０Ａ，４０Ｂに出入りするネットガイド４２Ａ′，４２Ａ″のガイドレール１４に対する適正な摺動を可能にするばかりでなく、ネットガイド４２Ａ全体のガイドレール１４に対する適正な摺動、即ち上記ネット８Ａの該ガイドレール１４に沿う適正な開閉を可能としている。
【００２９】
上記可動框４０Ａ，４０Ｂ内に設けたストッパ４３は、上記ネットガイド４２Ａ′，４２Ａ″が可動框４０Ａ，４０Ｂ中に導入される限度を設定するためのもので、図４に示すネット８Ａの全開放（収納）状態において、可動框４０Ａ，４０Ｂ内に導入されるネットガイド４２Ａ′，４２Ａ″の先端の端部駒２２が達する位置にそれぞれ設けられている。
【００３０】
上記ネット８Ａの両端に取り付けた可動框４０Ａ，４０Ｂを安定的に平行移動させるため、網戸枠６及び可動框４０Ａ，４０Ｂの間には、上記可動框の平行移動機構を構成する４本の張紐５４ａ〜５４ｄを張設している。
第１の張紐５４ａは、先ずネットガイド４２Ａにおける上記可動框４０Ａ内を出入りするネットガイド４２Ａ′の端部に連接した端部駒２２にその一方の端部を固定し、該張紐２４ａを可動框４０Ａの下部に設けた転向子５６ａに巻き掛けて該可動框４０Ａ内を上方に導き、それを可動框４０Ａの上部からネット８Ａ側に導出して該ネット８Ａを貫通させ、支持部材１５に該張紐５４ａを支持させたうえで上記可動框４０Ｂの上部に導き、そこから該可動框４０Ｂ内を下方に導いて該可動框４０Ｂの下部に設けた転向子５６ｂに巻き掛けた後、上記ネットガイド４２Ａにおける可動框４０Ｂ内を出入りするネットガイド４２Ａ″の端部に連接した端部駒２２に他方の端部を固定している。
第２の張紐５４ｂは、その一方の端部を上記縦枠部材３２Ａの上部に固定し、それを該縦枠部材３２Ａ内を上方に導き該縦枠部材３２Ａの上端から導出した後に、上枠部材３４に沿って一方の可動框４０Ａ内に導入し、それを可動框４０Ａの下部まで導いたうえでネット８Ａを貫通させるとともに、該張紐５４ｂをネットガイド４２Ａの中間部のガイド駒２０に設けた保持部材２１に保持させて他方の可動框４０Ｂ内に導入し、それを可動框４０Ｂの上端まで導いたうえで、上記上枠部材３４に沿って縦枠部材３２Ｂ内に導入し、その先端を該縦枠部材３２Ｂの上部に固定している。
【００３１】
第３の張紐５４ｃは、その一方の端部を上記縦枠部材３２Ａの中間部に固定し、それを該縦枠部材３２Ａ内を上方に導き該縦枠部材３２Ａの上端から導出した後に、上枠部材３４に沿って一方の可動框４０Ａ内に導入し、それを可動框４０Ａの中間部まで導いたうえでネット８Ａを貫通させて他方の可動框４０Ｂ内に導入し、それを可動框４０Ｂの上端まで導いたうえで、上記上枠部材３４に沿って縦枠部材３２Ｂ内に導入し、その先端を該縦枠部材３２Ｂの中間部に固定している。
第４の張紐５４ｄは、その一方の端部を上記縦枠部材３２Ａの下部に固定し、それを該縦枠部材３２Ａ内を下方に導き該縦枠部材３２Ａの下端から導出した後に、ガイドレール１４に沿って一方の可動框４０Ａ内に導入して該可動框４０Ａの上端に導き、そこで折り返して該可動框４０の上部に導いたうえでネット８Ａを貫通させて他方の可動框４０Ｂ内に導入し、それを可動框４０Ｂの上端まで導いて折り返した後に該可動框４０Ｂの下端に至り、該可動框４０の下端から導出して上記ガイドレール１４に沿って縦枠部材３２Ｂ内に導入した後、それを該縦枠部材３２Ｂの下部まで導いて他方の端部を固定している。
なお、必要な転向子を設けることは前記第１実施例と同様である。
【００３２】
上記構成を有する横引き網戸は、ネットガイド４２Ａの中央部のガイド駒２０の裏面に、相対向する鉤形に形成したガイド用突条２０ｃを形成するとともに、上記ガイドレール１４の両側に上記ガイド駒２０のガイド用突条２０ｃが係合する凹溝１４ｃを形成しており、両ガイド用突条２０ｃをガイドレール１４の凹溝１４ｃに嵌め込むことにより、上記ネットガイド４２Ａのガイドレール１４に対する適正な摺動、即ち上記ネット８Ａの該ガイドレール１４に沿う適正な開閉操作を行うことができる。
【００３３】
ここで、この第２実施例の横引き網戸のその他の構成及び作用は、実質的に前記第１実施例と同様であるから、同一部分または相当部分に同一符号を付して、それらの説明を省略する。
【００３４】
なお、上述した各実施例においては、それぞれネットガイドの両端が出入りする枠部材内に、該ネットガイドの導入の限度を設定するストッパを設けた場合について記載したが、それに限定されず、上記ストッパを枠部材の任意位置に設けることができる。
図１４はその一例を示すもので、ネットガイド７２の中間部のガイド駒８０における外側面に、網戸枠６６の縦枠部材６２及び可動框７０におけるネットガイド７２の導入口縁をストッパ７３としてそこに当接する突部７４を形設している。なお、この突部７４は、上記ガイド駒８０における片方または双方の揺れ止め部８０ｂの外側面に設けることができ、また、ネットの両端が取付けられている縦枠部材６２及び可動框７０の中のネットガイド７２先端が当接する位置にも予備的にストッパを設けることもできる。上記ガイド駒８０の突部７４及びストッパ７３は、第１、第２実施例において適用できるのは勿論である。
【００３５】
また、上述した各実施例においては、ネットガイドを、多数のガイド駒を中間部のガイド駒の両側に可撓性のテープ状部材で連接したものとして構成したが、それに限定されず、可撓性を有する合成樹脂の押出成形で断面略コ字状に形成した長尺材として構成し、その揺れ止め部の一部を部分的に切除することによって構成したものを用いることもできる。この場合、上記中央のガイド駒２０のガイド用突条２０ｆ及び保持部材２１に相当するものを別途付設することになる。
【００３６】
更に、本発明にかかる横引き網戸においては、図１５乃至図１７に例示したネットガイド９２Ａのように、ネット８Ａの両側の枠部材の下端から導出入する各ネットガイド９２Ａ′，９２Ａ″（前記ネットガイド１２Ａ′，１２Ａ″あるいは４２Ａ′，４２Ａ″に対応）を、ネット８Ａの下端に沿う底部９６ａ，９７ａと該ネットの外面に沿って立ち上がる揺れ止め部９６ｂ，９７ｂとにより略Ｕ字状に形成した合成樹脂製のガイド駒９６，９７の多数を、それらの揺れ止め部９６ｂ，９７ｂの上端において連結することにより構成したものとすることができる。すなわち、上記ネットガイド９２Ａ′，９２Ａ″を構成する各ガイド駒９６，９７は、その揺れ止め部９６ｂ，９７ｂの上端部に沿って孔９６ｃ，９７ｃが設けられており、該孔９６ｃ，９７ｃにワイヤー９８を挿通することによりそれらを連結するように構成している。なお、図１６に示すように、この場合においても、中央のガイド駒１００のガイド用突条１００ｆ及び保持部材１０１を別途付設するのはいうまでもない。また、中央のガイド駒１００の揺れ止め部１００ｂの上端部にも、上記ワイヤー９８を挿通する孔１００ｃを設けることになる。また、ネットガイド９２Ａ′を構成するガイド駒９６にも必要に応じてガイド用突条を設けることができる。
このように構成すると、ネットガイド９２の屈曲部を該ネットガイド９２の上部（屈曲の内側）に設けるので、屈曲時に隣接するガイド駒９６の一部が相互に重なることがなく、ネット８Ａの開閉操作を円滑且つ安定的に行うことができ、そのうえ、上記ネットガイド９２がネット８Ａの端部に沿って導出されたとき、隣接するガイド駒９６の連設面が相互に当接するものとして構成しているので、水平横方向への湾曲や逆方向への湾曲をより確実に防止することができ、ネット８Ａの下端を更に安定的にガイドすることができる。
なお、図１７中の符号１０４は、ネットガイド９２の中間部のガイド駒１００における外側面に形設した、ネット８Ａの両側の枠部材におけるネットガイド９２の導入口縁をストッパ１０３として、そこに当接する突部である。
【図面の簡単な説明】
【００３７】
【図１】本発明の第１実施例の横引き網戸の正断面図である。
【図２】同ネットの全開放状態を示す正断面図である。
【図３】同ネットの張設状態を示す正断面図である。
【図４】本発明の第２実施例の横引き網戸の正面図である。
【図５】ネットガイドの拡大正断面図である。
【図６】図５の平面図である。
【図７】図５のＸ−Ｘ線における断面図である。
【図８】図５のＹ−Ｙ線における断面図である。
【図９】図５のＺ−Ｚ線における断面図である。
【図１０】第２実施例のネットガイドの拡大正断面図である。
【図１１】図１０の平面図である。
【図１２】図１０のＸ−Ｘ線における断面図である。
【図１３】図１０のＹ−Ｙ線における断面図である。
【図１４】ネットガイドの導入の限度を設定するストッパについての他の構成例を示す要部斜視図である。
【図１５】ネットガイドの他の構成例におけるガイド駒の拡大斜視図である。
【図１６】同ネットガイドの正面図である。
【図１７】図１６のネットガイドを適用した横引き網戸の要部斜視図である。
【符号の説明】
【００３８】
２Ａ，２Ｂ，３２Ａ，３２Ｂ，６２  縦枠部材
６，３６，６６    網戸枠
８Ａ，８Ｂ  ネット
１０Ａ，１０Ｂ，４０Ａ，４０Ｂ，７０  可動框
１２Ａ，１２Ａ′，１２Ａ″，１２Ｂ，１２Ｂ′，１２Ｂ″，４２Ａ，４２Ａ′，４２Ａ″７２，９２Ａ，９２Ａ′，９２Ａ″  ネットガイド
１３，４３，７３，１０３    ストッパ
１４    ガイドレール
１４ｃ  凹溝
１６，１７，２０，４６，４７，８０，９６，９７    ガイド駒
１６ａ，１７ａ，４６ａ，４７ａ，９６ａ，９７ａ  底部
１６ｂ，１７ｂ，４６ｂ，４７ｂ，８０ｂ，９６ｂ，９７ｂ，１００ｂ  揺れ止め部
１６ｆ，２０ｆ，１００ｆ  ガイド用突条
１８    テープ状部材
１９    ねじ
２１，１０１    保持部材
９６ｃ，９７ｃ，１００ｃ  孔
９８    ワイヤー
【図１】
2005048477.tif 000003
【図２】
2005048477.tif 000004
【図３】
2005048477.tif 000005
【図４】
2005048477.tif 000006
【図５】
2005048477.tif 000007
【図６】
2005048477.tif 000008
【図７】
2005048477.tif 000009
【図８】
2005048477.tif 000010
【図９】
2005048477.tif 000011
【図１０】
2005048477.tif 000012
【図１１】
2005048477.tif 000013
【図１２】
2005048477.tif 000014
【図１３】
2005048477.tif 000015
【図１４】
2005048477.tif 000016
【図１５】
2005048477.tif 000017
【図１６】
2005048477.tif 000018
【図１７】
2005048477.tif 000019